(57)【特許請求の範囲】
【請求項１】
弾性を有する線材によって鈎本体部とハリス止め部と抜け止め部とが一体に形成され、
前記鈎本体部は、湾曲する形状を有し、その先端部が尖り、
前記ハリス止め部は、前記鈎本体部の基端部から第１の方向に延びる第１の部位と、前記第１の部位の終端から折り返され前記第１の方向と相対する第２の方向に延びる第２の部位とを含み、掛け鈎から延びるハリスを前記第１の部位と前記第２の部位とで挟持して固定し、
前記抜け止め部は、前記第２の部位の終端から前記鈎本体部の先端部に向って延び、
前記抜け止め部が、当該抜け止め部の先端部が前記鈎本体部の先端部から離れる方向へ押されたとき、前記抜け止め部とともに前記第２の部位が弾性変形することが可能である、
ことを特徴とするサカサ鈎。
【請求項２】
前記鈎本体部には、鼻カンへと延びるハリスにおける前記鈎本体部との固定部分が前記鈎本体部の先端部側へ移動するのを止める突起部が形成される、
ことを特徴とする請求項１に記載のサカサ鈎。
【請求項３】
前記鈎本体部には、湾曲する部位よりも前記ハリス止め部側に、前記抜け止め部と反対側に張り出し、鼻カンへと延びるハリスが固定される固定部が設けられる、
ことを特徴とする請求項１に記載のサカサ鈎。
【請求項４】
前記固定部は、前記線材を一回りさせてなるリング状に形成される、
ことを特徴とする請求項３に記載のサカサ鈎。
【請求項５】
前記第１の部位または前記第２の部位に、これらの部位の間に前記掛け鈎から延びるハリスを通すための隙間を形成する屈曲部が設けられる、
ことを特徴とする請求項１に記載のサカサ鈎。
【請求項６】
弾性を有する線材によって鈎本体部と抜け止め部とが一体に形成され、ハリス止め部がこれら鈎本体部および抜け止め部と別体に形成され、
前記鈎本体部は、湾曲する形状を有し、その先端部が尖り、
前記抜け止め部は、前記鈎本体部の基端部から折り返されるようにして形成され、前記鈎本体部の先端部に向って延び、
前記ハリス止め部は、掛け鈎から延びるハリスを挟んで固定する挟持部を有し、前記抜け止め部への折り返し部分を避けた前記鈎本体部の基端部側に接合剤によって固定される、
ことを特徴とするサカサ鈎。
【請求項７】
前記抜け止め部の先端部に、弧を描くように折れ曲がる折曲部と、前記鈎本体部の先端部から離れる方向へ前記折曲部から延びる直線状部とが形成される、
ことを特徴とする請求項１ないし６の何れか一項に記載のサカサ鈎。
【発明の詳細な説明】
【技術分野】
【０００１】
本発明は、鮎の友釣りの仕掛けに用いられるサカサ鈎に関する。
【背景技術】
【０００２】
従来、鮎の友釣り用いられる仕掛けは、鼻カン、サカサ鈎および掛け鈎を含む。おとり鮎は、鼻カンが鼻に通され、サカサ鈎が尻びれ付近の腹部に引っ掛けられることにより、仕掛けに繋がれる。サカサ鈎には、ハリス止めが鈎本体部と一体または別体に形成され、ハリス止め部に掛け鈎から延びるハリス（糸）が固定される。
【０００３】
釣り上げた野鮎を新しいおとり鮎として古いおとり鮎と交換する際に、サカサ鈎が玉網や衣服に引っ掛からず素早く交換作業が行えるよう、サカサ鈎の鈎先には、返しが設けられていない。このため、おとり鮎が遊泳している間におとり鮎からサカサ鈎が抜け落ちやすかった。
【０００４】
そこで、特許文献１には、おとり鮎から抜け落ちにくいサカサ鈎として、抜止め部を有する鮎釣り用仕掛け具が開示されている。
【０００５】
特許文献１の鮎釣り用仕掛け具は、針部から延設されたハリス連結部の端部に、樹脂、ゴム等の弾性部材で形成される抜止め部が取り付けられる。抜止め部の先端部の位置は、針部の先端部の若干内側に設定される。針部がおとり鮎に引っ掛けられる際には、針部の先端部と抜止め部との隙間が拡がるように抜止め部が弾性変形する。針部がおとり鮎に引っ掛けられ、抜止め部が元の位置に戻された状態では、抜止め部がおとり鮎に押し付けられる。抜止め部が抜止め用の部材として機能し、おとり鮎から針部が抜け落ちにくくなる。
【先行技術文献】
【特許文献】
【０００６】
【特許文献１】特開平１１−２５３０８４号公報
【発明の概要】
【発明が解決しようとする課題】
【０００７】
しかしながら、特許文献１の鮎釣り用仕掛け具では、ハリス連結部の端部より先の抜止め部が弾性変形するに留まるため、針部の先端部と抜止め部との隙間を大きく拡げることが難しい。このため、針部がおとり鮎の腹部からちぎれ落ちにくいように、針部をおとり鮎の腹部にしっかりと深く引っ掛けようとしたときに、抜止め部が邪魔になりやすい。針部をおとり鮎へ引っ掛けるのに手間取ってしまうと、おとり鮎を素早く交換できなくなるため、おとり鮎を弱らせてしまう虞がある。
【０００８】
また、特許文献１の鮎釣り用仕掛け具は、それ自身が小さなものであるので、抜止め部をハリス連結部の端部に取り付けるために、非常に細かな作業が要求される。よって、かかる鮎釣り用仕掛け具を製造するのは難しく、製品化しづらい。
【０００９】
そこで、本発明は、おとり鮎から抜け落ちにくい上に、おとり鮎に引っ掛けやすいサカサ鈎を提供することを目的とする。また、本発明は、おとり鮎から抜け落ちにくい上に、製造がしやすいサカサ鈎を提供することを目的とする。
【課題を解決するための手段】
【００１０】
本発明の第１の態様に係るサカサ鈎は、弾性を有する線材によって鈎本体部とハリス止め部と抜け止め部とが一体に形成される。前記鈎本体部は、湾曲する形状を有し、その先端部が尖る。前記ハリス止め部は、前記鈎本体部の基端部から第１の方向に延びる第１の部位と、前記第１の部位の終端から折り返され前記第１の方向と相対する第２の方向に延びる第２の部位とを含み、掛け鈎から延びるハリスを前記第１の部位と前記第２の部位とで挟持して固定する。前記抜け止め部は、前記第２の部位の終端から前記鈎本体部の先端部に向って延びる。前記抜け止め部が、当該抜け止め部の先端部が前記鈎本体部の先端部から離れる方向へ押されたとき、前記抜け止め部とともに前記第２の部位が弾性変形することが可能である。
【００１１】
上記の構成によれば、抜け止め部が押されたときに、抜け止め部を弾性変形させることができるのみならず、抜け止め部とともに第２の部位を弾性変形させることができるため、抜け止め部のみが弾性変形する場合に比べて、抜け止め部の先端部を鈎本体部の先端部から大きく遠ざけることができる。これにより、鈎本体部の先端部と抜け止め部の先端部との間に大きな隙間をあけることができる。
【００１２】
また、上記の構成によれば、弾性変形するときの支点部分が抜け止め部でなく第２の部位に設けられることとなるため、支点部分から力点部分（抜け止め部の押される部分）までの距離を長く取ることが可能となる。これにより、抜け止め部の先端部を鈎本体部の先端部から遠ざける際に必要となる抜け止め部を押さえる力を小さくすることができる。
【００１３】
このように、上記の構成によれば、小さな力で鈎本体部の先端部と抜け止め部の先端部との間に大きな隙間をあけることが可能となる。これにより、抜け止め部を設けておとり鮎から鈎本体部が抜け落ちにくくなるように構成した場合であっても、鈎本体部をおとり鮎に引っ掛けるときに抜け止め部が邪魔になりにくく、鈎本体部をおとり鮎に引っ掛けやすいサカサ鈎を実現できる。
【００１４】
さらに、上記の構成によれば、鈎本体部、ハリス止め部および抜け止め部の三者が一本の線材により一体に形成されるので、抜け止め部を取り付ける作業が不要であり、サカサ鈎の製造が容易となる。
【００１５】
本態様に係るサカサ鈎において、前記鈎本体部に、鼻カンへと延びるハリスにおける前記鈎本体部との固定部分が前記鈎本体部の先端部側へ移動するのを止める突起部が形成される構成が採られ得る。
【００１６】
上記の構成によれば、掛け鈎に野鮎が掛かってサカサ鈎が引っ張られたときに、鼻カンへと延びるハリスが鈎本体部の先端部側へと移動して先端部から抜けてしまうのを防止できる。
【００１７】
本態様に係るサカサ鈎において、前記鈎本体部には、湾曲する部位よりも前記ハリス止め部側に、前記抜け止め部と反対側に張り出し、鼻カンへと延びるハリスが固定される固定部が設けられ得る。
【００１８】
上記の構成によれば、掛け鈎から延びるハリスがハリス止め部に装着されるときに邪魔になりにくいように、鼻カンへと延びるハリスをサカサ鈎に固定することができる。
【００１９】
上記の構成とされた場合、さらに、前記固定部は、前記線材を一回りさせてなるリング状に形成され得る。
【００２０】
このような構成とされると、線材を折り曲げてサカサ鈎の形状とする際、線材を一回りさせることにより、固定部を容易に形成することができる。しかも、固定部のリング状部分に固定されたハリスは、鈎本体部に固定される場合と違って、鈎本体部の先端部側へ移動する虞がない。
【００２１】
本態様に係るサカサ鈎において、前記第１の部位または前記第２の部位に、これらの部位の間に前記掛け鈎から延びるハリスを通すための隙間を形成する屈曲部が設けられる構成が採られ得る。
【００２２】
上記の構成によれば、屈曲部と抜け止め部との間の部位を利用することで、鼻カンへと延びるハリスを、サカサ鈎からの抜けを懸念することなく、サカサ鈎に固定することが可能となる。
【００２３】
本発明の第２の態様に係るサカサ鈎は、弾性を有する線材によって鈎本体部と抜け止め部とが一体に形成され、ハリス止め部がこれら鈎本体部および抜け止め部と別体に形成される。前記鈎本体部は、湾曲する形状を有し、その先端部が尖る。前記抜け止め部は、前記鈎本体部の基端部から折り返されるようにして形成され、前記鈎本体部の先端部に向って延びる。前記ハリス止め部は、掛け鈎から延びるハリスを挟んで固定する挟持部を有し、前記抜け止め部への折り返し部分を避けた前記鈎本体部の基端部側に接合剤によって固定される。
【００２４】
上記の構成によれば、接合剤に邪魔されずに、抜け止め部を、折り返し部分を支点として弾性変形させることができ、鈎本体部の先端部と抜け止め部の先端部との間に大きな隙間をあけることができる。これにより、抜け止め部を設けておとり鮎から鈎本体部が抜け落ちにくくなるように構成した場合であっても、鈎本体部をおとり鮎に引っ掛けるときに抜け止め部が邪魔になりにくく、鈎本体部をおとり鮎に引っ掛けやすいサカサ鈎を実現できる。
【００２５】
さらに、上記の構成によれば、抜け止め部が、鈎本体部の基端部から鈎本体部と一体に形成されるので、抜け止め部を取り付ける作業が不要であり、サカサ鈎の製造が容易となる。また、鈎本体部には、抜け止め部の取り付しろとなる部位を形成しなくて済むので、サカサ鈎が無駄に大きくならない。
【００２６】
第１の態様または第２の態様に係るサカサ鈎において、前記抜け止め部の先端部に、弧を描くように折れ曲がる折曲部と、前記鈎本体部の先端部から離れる方向へ前記折曲部から延びる直線状部とが形成される構成が採られ得る。
【００２７】
上記の構成によれば、鈎本体部をおとり鮎の腹部に刺し通す際に、腹部が抜け止め部の先端部に当たっても、折曲部によって腹部を滑らすことができるので、鈎本体部を円滑に腹部に刺し通すことができる。
【００２８】
さらに、上記の構成によれば、鈎本体部がおとり鮎の腹部から抜けようとしたとき、直線状部がおとり鮎の腹部に線接触することで、直線状部で腹部をしっかりと押さえることができる。これにより、サカサ鈎が、おとり鮎から、一層、抜け落ちにくくなる。
【発明の効果】
【００２９】
本発明によれば、おとり鮎から抜け落ちにくい上に、おとり鮎に引っ掛けやすいサカサ鈎を提供することができる。さらに、本発明によれば、おとり鮎から抜け落ちにくい上に、製造がしやすいサカサ鈎を提供することができる。
【００３０】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００３１】
【図１】第１実施形態に係る、サカサ鈎の構成を示す図である。
【図２】第１実施形態に係る、サカサ鈎が用いられる鮎の友釣り用の仕掛けの一例を示す図である。
【図３】第１実施形態に係る、サカサ鈎への鼻カン側ハリスと掛け鈎側ハリスの固定の仕方について説明するための図である。
【図４】第１実施形態に係る、サカサ鈎がおとり鮎の腹部に引っ掛けられる様子を模式的に示す図である。
【図５】第１実施形態の変更例に係る、サカサ鈎の構成を示す図である。
【図６】第２実施形態に係る、サカサ鈎の構成を示す図である。
【図７】第２実施形態に係る、抜け止め部が押されて弾性変形した状態のサカサ鈎の側面図である。
【図８】第２実施形態に係る、サカサ鈎への鼻カン側ハリスと掛け鈎側ハリスの固定の仕方について説明するための図である。
【図９】第２実施形態に係る、サカサ鈎がおとり鮎の腹部に引っ掛けられる様子を模式的に示す図である。
【図１０】第２実施形態の変更例に係る、サカサ鈎の構成を示す図である。
【図１１】第１実施形態の変更例に係る、サカサ鈎の構成を示す図である。
【図１２】第１実施形態の変更例に係る、サカサ鈎の構成を示す図である。
【発明を実施するための形態】
【００３２】
＜第１の実施形態＞
以下、本発明の第１の態様に係るサカサ鈎の一実施形態について、図面を参照して説明する。
【００３３】
図１は、サカサ鈎１Ａの構成を示す図である。図１（ａ）は、サカサ鈎１Ａの側面図である。図１（ｂ）は、抜け止め部３０が押されることにより、抜け止め部３０と第２の部位２２が弾性変形した状態のサカサ鈎１Ａの側面図である。図１（ｃ）は、図１（ｂ）のＡ−Ａ´端面図である。なお、図１（ａ）には、便宜上、鈎本体部１０とハリス止め部２０との境界およびハリス止め部２０と抜け止め部３０との境界が一点鎖線にて示されているとともに、ハリス止め部２０と、ハリス止め部２０および抜け止め部３０に、それぞれ、異なる模様が付されている。
【００３４】
サカサ鈎１Ａは、鈎本体部１０と、ハリス止め部２０と、抜け止め部３０とを含む。鈎本体部１０、ハリス止め部２０および抜け止め部３０の三者は、弾性を有する断面円形の金属製の線材、たとえば、番手＃２６〜＃２８のピアノ線（炭素鋼の線材）によって一体に形成されている。
【００３５】
鈎本体部１０は、ほぼＵ字に湾曲する形状を有し、その先端部１０ａ（以下、「鈎先１０ａ」と称する）が尖っている。鈎本体部１０には、円弧状部１０ｂから基端部１０ｃへと繋がる直線状部１０ｄに突起部１１が形成されている。突起部１１は、たとえば、電気溶接により形成することができる。なお、突起部１１は、直線状部１０ｄから如何なる向きに突出していてもよい。
【００３６】
ハリス止め部２０は、鈎本体部１０の基端部１０ｃから第１の方向、ここでは、直線状部１０ｄの延長線上となる方向に延びる第１の部位２１と、第１の部位２１の終端から折り返され第１の方向と相対する第２の方向に延びる第２の部位２２とを含む。第１の部位２１と第２の部位２２は、互いに密着している。なお、後述する掛け鈎側ハリスを抜け落ちないように挟持できれば、第１の部位２１と第２の部位２２は、必ずしも互いに密着していなくてもよく、互いの間に、掛け鈎側ハリスの径よりも小さな隙間が形成されていてもよい。
【００３７】
抜け止め部３０は、第２の部位２２の終端から鈎先１０ａに向って延びている。抜け止め部３０の先端部３０ａは、鈎先１０ａの近傍に位置する。先端部３０ａは、鈎先１０ａに接触していてもよいし、図１（ａ）に示された位置よりも鈎先１０ａから遠ざかっていてもよい。しかしながら、先端部３０ａの位置は、少なくとも、第２の部位２２の終端から鈎先１０ａまでの距離の半分の位置よりも鈎先１０ａに接近させることが望ましい。
【００３８】
抜け止め部３０の先端部３０ａには、孤を描くように折れ曲がる折曲部３１と、当該折曲部３１に続く直線状部３２とが一体に形成されている。図１（ａ）に示すように、直線状部３２は、鈎先１０ａから離れる方向へ、折曲部３１から真っ直ぐに延び出している。なお、直線状部３２は、直線状であれば、多少前後に反ったりしていてもよい。
【００３９】
抜け止め部３０の基端部３０ｂは、弧を描くように折り曲げられている。これによって、抜け止め部３０の基端部３０ｂと鈎本体部１０の基端部１０ｃとの間が徐々に狭くなった後に第１の部位２１と第２の部位２２との間の部分に繋がるようにされている。
【００４０】
抜け止め部３０と第２の部位２２は、一つの線材で一体に形成されており、弾性係数が同じである。よって、図１（ｂ）に示すように、抜け止め部３０の先端部３０ａが鈎先１０ａから離れる方向へ抜け止め部３０が押されたとき、抜け止め部３０を弾性変形させることができるのみならず、抜け止め部３０とともに第２の部位２２を弾性変形させることができる。図１（ｃ）に示すように、第１の部位２１と第２の部位２２は、断面が円形であり、第２の部位２２が第１の部位２１に押し付けられたときに、第２の部位２２は、第１の部位２１に対して容易に横にずれて第１の部位２１に重なることができる。よって、第２の部位２２は、第１の部位２１に妨げられずに弾性変形し得る。
【００４１】
なお、第２の部位２２が弾性変形したときに第２の部位２２が第１の部位２１に一層重なりやすいよう、サカサ鈎１Ａを正面（図１（ｃ）の方向）から見たときに、第２の部位２２の中心が、第１の部位２１の中心に対して僅かに左右方向にずらされていてもよい。ただし、この中心のずれは、第１の部位２１と第２の部位２２とによる掛け鈎側ハリスの固定の妨げにならない程度とされることが望ましい。
【００４２】
図２は、サカサ鈎１Ａが用いられる、鮎の友釣り用の仕掛け１００の一例を示す図である。図２は、仕掛け１００がおとり鮎に固定された状態を示す。
【００４３】
仕掛け１００は、サカサ鈎１Ａの他、鼻カン２および掛け鈎３を含む。鼻カン２から延びる鼻カン側ハリス４と、掛け鈎３から延びる掛け鈎側ハリス５がサカサ鈎１Ａに固定される。鼻カン２がおとり鮎の鼻に通され、サカサ鈎１Ａがおとり鮎の尻びれ付近の腹部に引っ掛けられる。これにより、おとり鮎が仕掛け１００に繋がれた状態となる。掛け鈎３として、たとえば、図２に示すような、イカリタイプの掛け鈎が用いられ得る。縄張りに進入したおとり鮎を追い払おうとする野鮎が、掛け鈎３に引っ掛かり釣り上げられる。
【００４４】
図３は、サカサ鈎１Ａへの鼻カン側ハリス４と掛け鈎側ハリス５の固定の仕方について説明するための図である。
【００４５】
鼻カン側ハリス４は、サカサ鈎１Ａの鈎本体部１０に固定される。具体的には、鼻カン側ハリス４は、鈎本体部１０の直線状部１０ｄにおける、突起部１１よりも基端部１０ｃ側に固定される。たとえば、鼻カン側ハリス４は、団子結び、投げ縄結びなどにより結ばれることで、鈎本体部１０に固定され得る。鼻カン側ハリス４の鈎本体部１０への固定部分（結び目部分）４ａが突起部１１で止められることによって、固定部分４ａの鈎先１０ａ側への移動が防止される。これにより、掛け鈎３に野鮎が掛かってサカサ鈎１Ａが引っ張られたときに、鼻カン側ハリス４が鈎先１０ａ側へと移動して鈎先１０ａから抜けてしまうのを防止できる。
【００４６】
掛け鈎側ハリス５は、サカサ鈎１Ａのハリス止め部２０に固定される。掛け鈎側ハリス５は、鈎本体部１０と抜け止め部３０で形成されるループ内に通され、抜け止め部３０の基端部３０ｂと鈎本体部１０の基端部１０ｃとの間を通って、第１の部位２１と第２の部位２２の間に挿入され、ハリス止め部２０の後端部の位置まで移動される。サカサ鈎１Ａは、抜け止め部３０の基端部３０ｂと鈎本体部１０の基端部１０ｃが徐々に狭まる構成であるため、掛け鈎側ハリス５を第１の部位２１と第２の部位２２の間に挿入しやすい。
【００４７】
挿入された掛け鈎側ハリス５の厚みによって、第１の部位２１と第２の部位２２との間が拡げられる。これにより、第１の部位２１と第２の部位２２には互いが密着する方向に弾性力が働き、この弾性力によって、掛け鈎側ハリス５が、第１の部位２１と第２の部位２２の間に挟持され固定される。掛け鈎側ハリス５には結び目５ａが形成され、この結び目５ａが第１の部位２１と第２の部位２２とに引っ掛かることで、ハリス止め部２０からの掛け鈎側ハリス５の抜けが防止される。
【００４８】
図４は、サカサ鈎１Ａがおとり鮎の腹部に引っ掛けられる様子を模式的に示す図である。
【００４９】
サカサ鈎１Ａは、おとり鮎の尻びれ付近の腹部に引っ掛けられる。まず、図４（ａ）に示すように、ユーザは、指により、抜け止め部３０の先端部３０ａが鈎先１０ａから離れる方向へ抜け止め部３０を押す。図１（ｂ）で説明した通り、抜け止め部３０およびハリス止め部２０の第２の部位２２が弾性変形し、鈎先１０ａと抜け止め部３０の先端部３０ａとの間の隙間が拡がる。
【００５０】
このように、抜け止め部３０とともに第２の部位２２を弾性変形させることができるので、抜け止め部３０のみが弾性変形する場合に比べて、抜け止め部３０の先端部３０ａが鈎先１０ａから遠ざかりやすくなる。これにより、鈎先１０ａと抜け止め部３０の先端部３０ａとの間に大きな隙間があきやすくなる。
【００５１】
また、弾性変形するときの支点部分が抜け止め部３０でなく第２の部位２２に設けられることとなるため、支点部分から力点部分（抜け止め部３０の押される部分）までの距離を長く取ることが可能となる。これにより、抜け止め部３０の先端部３０ａを鈎先１０ａから遠ざけるために抜け止め部３０を押さえ付けておく力を小さくすることができる。
【００５２】
次に、図４（ｂ）、（ｃ）に示すように、ユーザは、鈎本体部１０をおとり鮎の腹部に貫通させる。この際、腹部が鈎先１０ａと抜け止め部３０の先端部３０ａとの隙間を通ることで、抜け止め部３０が邪魔になりにくい。また、図４（ｂ）に示すように、鈎本体部１０を腹部に貫通させる途中で、抜け止め部３０の先端部３０ａが腹部に当たるようなことが生じても、弧を描く折曲部３１によって腹部を滑らすことができるので、鈎本体部１０を円滑に腹部に貫通させることができる。
【００５３】
図４（ｃ）に示すように、ユーザは、鈎本体部１０をおとり鮎の腹部に貫通させ終えると、指を抜け止め部３０から離す。抜け止め部３０が、弾性力によって元の位置に復帰する。
【００５４】
抜け止め部３０が元の位置に復帰した状態において、鈎本体部１０がおとり鮎の腹部から抜ける方向にサカサ鈎１Ａが動いた場合、図４（ｄ）に示すように、抜け止め部３０がおとり鮎の腹部に当たって移動の妨げとなる。これにより、サカサ鈎１Ａがおとり鮎の腹部から抜け落ちることが防止される。特に、抜け止め部３０には、折曲部３１に続く直線状部３２が形成されており、直線状部３２がおとり鮎の腹部に線接触することで、直線状部３２で腹部をしっかりと押さえることができる。これにより、サカサ鈎１Ａが、おとり鮎から、一層、抜け落ちにくくなる。
【００５５】
＜第１実施形態の効果＞
本実施の形態によれば、小さな力で鈎先１０ａと抜け止め部３０の先端部３０ａとの間に大きな隙間をあけることが可能となる。これにより、抜け止め部３０を設けておとり鮎から鈎本体部１０が抜け落ちにくくなるように構成した場合であっても、鈎本体部１０をおとり鮎に引っ掛けるときに抜け止め部３０が邪魔になりにくく、鈎本体部１０をおとり鮎に引っ掛けやすいサカサ鈎１Ａを実現できる。
【００５６】
さらに、本実施の形態によれば、鈎本体部１０、ハリス止め部２０および抜け止め部３０の三者が一本の線材により一体に形成されるので、抜け止め部３０を取り付ける作業が不要であり、サカサ鈎１Ａの製造が容易となる。
【００５７】
＜第１実施形態の変更例＞
本発明の第１の態様に係るサカサ鈎は、上記実施の形態によって何ら制限されるものではなく、また、本発明の第１の態様に係るサカサ鈎の実施の形態も、上記以外に種々の変更が可能である。
【００５８】
たとえば、図５（ａ）に示すように、サカサ鈎１Ａは、抜け止め部３０の先端部３０ａに折曲部３１と直線状部３２とが形成されない構成とされてもよい。また、図５（ｂ）に示すように、サカサ鈎１Ａは、ハリス止め部２０の第２の部位２２の途中に、屈曲部２２ａが形成される構成が採られてもよい。屈曲部２２ａは、第１の部位２１との間に隙間が生じるように、略くの字状を有する。また、第１の部位２１に、屈曲部２２ａに対向する屈曲部が形成されてもよい。さらに、第１の部位２１のみに屈曲部が形成されてもよい。
【００５９】
さらに、サカサ鈎１Ａは、鈎本体部１０に突起部１１が形成されない構成とされてもよい。特に、上記のように、ハリス止め部２０に屈曲部２２ａが形成される場合には、図１１（ａ）に示すように、鈎本体部１０から突起部１１がなくすることができる。この場合は、屈曲部２２ａと抜け止め部３０との間の部位に、鼻カン側ハリス４が投げ縄結びにより結ばれて固定される。鼻カン側ハリス４は、抜け止め部３０および屈曲部２２ａに止められるため、抜け止め部３０側からも屈曲部２２ａ側からも抜けることが防止される。掛け鈎側ハリス５は、屈曲部２２ａによりできた隙間から第１の部位２１と第２の部位２２の間に挿入され、ハリス止め部２０の後端部の位置まで移動される。鼻カン側ハリス４は、投げ縄結びによりサカサ鈎１Ａに固定されているので、図１１（ｂ）のように、抜け止め部３０の先端部３０ａが鈎先１０ａから離れる方向へ抜け止め部３０が押され、第２の部位２２が弾性変形すると、それに合わせて鼻カン側ハリス４の固定部分（結び目部分）４ａが拡がる。よって、第２の部位２２の弾性変形が妨げられない。なお、鮎が掛け鈎３に掛かったときには、鼻カン側ハリス４とサカサ鈎１Ａとは互いに引っ張られる状態となるため、鼻カン側ハリス４の固定部分４ａが締まり、鼻カン側ハリス４がサカサ鈎１Ａから抜けるようなことはない。
【００６０】
このように、ハリス止め部２０に屈曲部２２ａが形成される場合には、屈曲部２２ａと抜け止め部３０との間の部位を利用することで、鼻カン側ハリス４を、サカサ鈎１Ａからの抜けを懸念することなく、サカサ鈎１Ａに固定することが可能となる。
【００６１】
さらに、図１２（ａ）に示すように、鈎本体部１０に突起部１１に替えて、鼻カン側ハリス４が結ばれて固定される固定部１２を設けることができる。固定部１２は、突起部１１と同じように、湾曲する円弧状部１０ｂよりもハリス止め部２０側である直線状部１０ｄに設けられ、円形のリング状を有し、抜け止め部３０とは反対側に張り出す。
【００６２】
固定部１２のリング状部分に固定された鼻カン側ハリス４は、図３のように鈎本体部１０の直線状部１０ｄに固定される場合と違って、鈎先１０ａ側に動く虞がない。また、鼻カン側ハリス４が直線状部１０ｄに固定される場合は、その固定部分４ａが、掛け鈎側ハリス５を鈎本体部１０と抜け止め部３０で形成されるループ内から第１の部位２１と第２の部位２２の間に挿入する際に邪魔になる虞がある。しかしながら、このように、抜け止め部３０とは反対側に張り出す固定部１２に鼻カン側ハリス４が固定される場合は、その固定部分４ａも固定部１２自身も、ハリス止め部２０に装着されるときの掛け鈎側ハリス５の邪魔になりにくい。
【００６３】
固定部１２は、金属製の線材を折り曲げてサカサ鈎１Ａの形状とする際、線材を小さく一回りさせることにより、容易に形成することができる。
【００６４】
なお、固定部１２の変形例として、たとえば、図１２（ｂ）のような、閉じていないリング状の固定部１２Ａや、図１２（ｃ）のような、略Ｖ字状の固定部１２Ｂを挙げることができる。
【００６５】
この他、本発明の第１の態様に係るサカサ鈎の実施の形態は、特許請求の範囲に示された技術的思想の範囲内において、適宜、種々の変更が可能である。
【００６６】
＜第２実施形態＞
以下、本発明の第２の態様に係るサカサ鈎の一実施形態について、図面を参照して説明する。
【００６７】
図６は、サカサ鈎１Ｂの構成を示す図である。図６（ａ）は、ハリス止め部６０が鈎本体部４０に固定される前のサカサ鈎１Ｂの側面図であり、図６（ｂ）は、ハリス止め部６０が鈎本体部４０に固定され、完成した状態のサカサ鈎１Ｂの側面図である。
【００６８】
サカサ鈎１Ｂは、鈎本体部４０と、抜け止め部５０と、ハリス止め部６０とを含む。鈎本体部４０および抜け止め部５０は、弾性を有する断面円形の金属製の線材、たとえば、番手＃２６〜＃２８のピアノ線（炭素鋼の線材）によって一体に形成されている。ハリス止め部６０は、弾性を有する断面円形の金属製の線材、たとえば、ステンレスの線材によって鈎本体部４０および抜け止め部５０とは別体に形成されている。
【００６９】
鈎本体部４０は、ほぼＵ字に湾曲する形状を有し、円孤の頂点から先端までの寸法Ｌ１よりも円弧の頂点から基端までの寸法Ｌ２が長くなるように形成されている。鈎本体部４０の先端部４０ａ（以下、「鈎先４０ａ」と称する）は尖っている。
【００７０】
抜け止め部５０は、鈎本体部４０の基端部４０ｂから折り返されるようにして形成され、鈎先４０ａに向って延びている。抜け止め部５０の先端部５０ａは、鈎先４０ａの近傍に位置する。先端部５０ａは、鈎先４０ａに接触していてもよいし、図６（ａ）に示された位置よりも鈎先４０ａから遠ざかっていてもよい。しかしながら、先端部５０ａの位置は、少なくとも、抜け止め部５０への折り返し部分Ｐから鈎先４０ａまでの距離の半分の位置よりも鈎先４０ａに接近させることが望ましい。
【００７１】
抜け止め部５０の先端部５０ａには、弧を描くように折れ曲がる折曲部５１と、当該折曲部５１に続く直線状部５２とが一体に形成されている。図６（ａ）に示すように、直線状部５２は、鈎先４０ａから離れる方向へ、折曲部５１から真っ直ぐに延び出している。しかしながら、直線状部５２は、直線状であれば、多少前後に反ったりしていてもよい。
【００７２】
ハリス止め部６０は、左左右両側に屈曲部６０ａ、６０ｂを有する一本の線材を屈曲部６０ａ、６０ｂ同士が対向するように２つに折り曲げ、向かい合う線材同士をほぼ密着させることにより形成される。ハリス止め部６０は、２つの線材の弾性力によって掛け鈎側ハリス５を挟む挟持部６１と、屈曲部６０ａ、６０ｂによりループ状に形成され、掛け鈎側ハリス５が通される挿入部６２と、鈎本体部４０に固定される固定部６３とを含む。
【００７３】
図６（ｂ）に示すように、ハリス止め部６０、即ち、ハリス止め部６０の固定部６３は、抜け止め部５０への折り返し部分Ｐを避けた鈎本体部４０の基端部４０ｂ側に接合剤７０、たとえば、ハンダによって固定される。
【００７４】
図７（ａ）は、抜け止め部５０が押されて弾性変形した状態のサカサ鈎１Ｂの側面図である。図７（ｂ）は、抜け止め部５０が押されて弾性変形した状態の、比較例となるサカサ鈎１Ｃの側面図である。
【００７５】
図７（ａ）に示すように、抜け止め部５０の先端部５０ａが鈎先４０ａから離れる方向へ抜け止め部５０が押されたとき、抜け止め部５０が弾性変形して鈎先４０ａと抜け止め部５０の先端部５０ａとの隙間が拡がる。ここで、ハリス止め部６０の固定部６３は、折り返し部分Ｐを避けて鈎本体部４０の基端部４０ｂ側に固定されているので、折り返し部分Ｐが接合剤７０で固められてしまうようなことがない。これにより、抜け止め部５０を、折り返し部分Ｐを支点として弾性変形させることができるので、鈎先４０ａと抜け止め部５０の先端部５０ａとの間に大きな隙間をあけることができる。
【００７６】
これに対し、図７（ｂ）に示す、比較例となるサカサ鈎１Ｃのように、鈎本体部４０の一番端の部分となる折り返し部分Ｐに、ハリス止め部６０の固定部６３が固定される場合が考えられ得る。外観のバランスの良さを考えた場合には、サカサ鈎１Ｃのような構成が採られやすい。
【００７７】
しかしながら、サカサ鈎１Ｃのように、折り返し部分Ｐに、ハリス止め部６０の固定部６３が固定される場合、折り返し部分Ｐが接合剤７０で固められてしまうため、接合剤７０に邪魔されて、抜け止め部５０を、折り返し部分Ｐを支点として弾性変形させることができない。これにより、抜け止め部５０を弾性変形させにくくなるので、サカサ鈎１Ｃでは、鈎先４０ａと抜け止め部５０の先端部５０ａとの間に大きな隙間をあけることが難しい。
【００７８】
さて、本実施の形態のサカサ鈎１Ｂは、第１実施形態のサカサ鈎１Ａに替えて、図２で説明した鮎の友釣り用の仕掛け１００に用いられる。
【００７９】
図８は、サカサ鈎１Ｂへの鼻カン側ハリス４と掛け鈎側ハリス５の固定の仕方について説明するための図である。
【００８０】
鼻カン側ハリス４は、サカサ鈎１Ｂのハリス止め部６０の固定部６３に固定される。たとえば、鼻カン側ハリス４は、団子結び、投げ縄結びなどにより結ばれることで、固定部６３に固定され得る。
【００８１】
掛け鈎側ハリス５は、サカサ鈎１Ｂのハリス止め部６０の挟持部６１に固定される。掛け鈎側ハリス５は、挿入部６２に通された後に挟持部６１へと挿入され、挟持部６１の後端部の位置まで移動される。掛け鈎側ハリス５には結び目５ａが形成され、この結び目５ａが挟持部６１の２つの線材に引っ掛かることで、挟持部６１、即ちハリス止め部６０からの掛け鈎側ハリス５の抜けが防止される。
【００８２】
図９は、サカサ鈎１Ｂがおとり鮎の腹部に引っ掛けられる様子を模式的に示す図である。
【００８３】
サカサ鈎１Ｂは、おとり鮎の尻びれ付近の腹部に引っ掛けられる。まず、図９（ａ）に示すように、ユーザは、指により、抜け止め部５０の先端部５０ａが鈎先４０ａから離れる方向へ抜け止め部５０を押す。図２（ａ）で説明した通り、抜け止め部５０が弾性変形し、鈎先４０ａと抜け止め部５０の先端部５０ａとの間の隙間が拡がる。
【００８４】
次に、図９（ｂ）、（ｃ）に示すように、ユーザは、鈎本体部４０をおとり鮎の腹部に貫通させる。この際、腹部が鈎先４０ａと抜け止め部５０の先端部５０ａとの隙間を通ることで、抜け止め部５０が邪魔になりにくい。また、図９（ｂ）に示すように、鈎本体部４０を腹部に貫通させる途中で、抜け止め部５０の先端部５０ａが腹部に当たるようなことが生じても、弧を描く折曲部５１によって腹部を滑らすことができるので、鈎本体部４０を円滑に腹部に貫通させることができる。
【００８５】
図９（ｃ）に示すように、ユーザは、鈎本体部４０をおとり鮎の腹部に貫通させ終えると、指を抜け止め部５０から離す。抜け止め部５０が、弾性力によって元の位置に復帰する。
【００８６】
抜け止め部５０が元の位置に復帰した状態において、鈎本体部４０がおとり鮎の腹部から抜ける方向にサカサ鈎１Ｂが動いた場合、図９（ｄ）に示すように、抜け止め部５０がおとり鮎の腹部に当たって移動の妨げとなる。これにより、サカサ鈎１Ｂがおとり鮎の腹部から抜け落ちることが防止される。特に、抜け止め部５０には、折曲部５１に続く直線状部５２が形成されており、直線状部５２がおとり鮎の腹部に線接触することで、直線状部５２で腹部をしっかりと押さえることができる。これにより、サカサ鈎１Ｂが、おとり鮎から、一層、抜け落ちにくくなる。
【００８７】
＜第２実施形態の効果＞
本実施の形態によれば、ハリス止め部６０が、折り返し部分Ｐを避けて鈎本体部４０の基端部４０ｂ側に固定されているので、接合剤７０に邪魔されずに、抜け止め部５０を、折り返し部分Ｐを支点として弾性変形させることができ、鈎先４０ａと抜け止め部５０の先端部５０ａとの間に大きな隙間をあけることができる。これにより、抜け止め部５０を設けておとり鮎から鈎本体部４０が抜け落ちにくくなるように構成した場合であっても、鈎本体部４０をおとり鮎に引っ掛けるときに抜け止め部５０が邪魔になりにくく、鈎本体部４０をおとり鮎に引っ掛けやすいサカサ鈎１Ｂを実現できる。
【００８８】
さらに、本実施の形態によれば、抜け止め部５０が、鈎本体部４０の基端部４０ｂから鈎本体部４０と一体に形成されるので、抜け止め部５０を取り付ける作業が不要であり、サカサ鈎１Ｂの製造が容易となる。また、鈎本体部４０には、抜け止め部５０の取り付しろとなる部位を形成しなくて済むので、サカサ鈎１Ｂが無駄に大きくならない。
【００８９】
＜第２実施形態の変更例＞
本発明の第２の態様に係るサカサ鈎は、上記実施の形態によって何ら制限されるものではなく、また、本発明の第２の態様に係るサカサ鈎の実施の形態も、上記以外に種々の変更が可能である。
【００９０】
たとえば、図１０に示すように、サカサ鈎１Ｂは、抜け止め部５０の先端部５０ａに折曲部５１と直線状部５２とが形成されない構成とされてもよい。
【００９１】
この他、本発明の第２の態様に係るサカサ鈎の実施の形態は、特許請求の範囲に示された技術的思想の範囲内において、適宜、種々の変更が可能である。
【符号の説明】
【００９２】
１Ａ  サカサ鈎
１０  鈎本体部
１０ａ  鈎本体部の先端部
１０ｃ  鈎本体部の基端部
１１  突起部
１２  固定部
２０  ハリス止め部
２１  第１の部位
２２  第２の部位
２２ａ  屈曲部
３０  抜け止め部
３０ａ  抜け止め部の先端部
３１  折曲部
３２  直線状部
１Ｂ  サカサ鈎
４０  鈎本体部
４０ａ  鈎本体部の先端部
４０ｂ  鈎本体部の基端部
５０  抜け止め部
５０ａ  抜け止め部の先端部
５１  折曲部
５２  直線状部
６０  ハリス止め部
６１  挟持部
【図１】
0006441857.tif 000002
【図２】
0006441857.tif 000003
【図３】
0006441857.tif 000004
【図４】
0006441857.tif 000005
【図５】
0006441857.tif 000006
【図６】
0006441857.tif 000007
【図７】
0006441857.tif 000008
【図８】
0006441857.tif 000009
【図９】
0006441857.tif 000010
【図１０】
0006441857.tif 000011
【図１１】
0006441857.tif 000012
【図１２】
0006441857.tif 000013